(57)【要約】      （修正有）【課題】機能喪失を招くことなく雑誌類に綴じ込むことが可能な返信用紙付き封筒を提供する。【解決手段】返信用紙付き封筒は、封筒本体１１と、封筒本体１１の二つの長辺部のうち一方の長辺部に切り離し可能に連設された申込用紙部１２と、封筒本体１１の二つの短辺部のうち一方の短辺部に切り離し可能に連設され且つ申込用紙部１２の一側辺部に切り離し可能に連設された綴じ込み片部１３とを備えている。封筒本体１１は表部１１ａと背部とを貼り合せた貼合部２０を有し、該貼合部２０の外側に裁ち落し部２１が形成されている【選択図】図１
0003150168.tif 000002
【実用新案登録請求の範囲】
【請求項１】
矩形状に形成された表部と背部の互いに対向する裏面同士を貼り合せて形成された封筒本体と、該封筒本体の表部または背部の一方に切り離し可能に連設された申込用紙部と、該申込用紙部と重合するように前記封筒本体の表部または背部の他方に切り離し可能に連設された申込控え用紙部と、前記申込用紙部及び前記申込控え用紙部の一方に記入したものを他方の用紙部に複写する複写層とからなる返信用紙付き封筒であって、
前記封筒本体は前記表部および前記背部の二つの長辺部同士、一つの短辺部同士を貼り合せて形成されているとともに、前記背部の二つの短辺部のうち前記表部と貼合されていない一短辺部に矩形状の封緘片部を有し、
前記申込用紙部及び前記申込控え用紙部の一方の用紙部は、前記表部の二つの長辺部のうち一方の長辺部に切取り線を介して切り離し可能に連設され、
前記申込用紙部及び前記申込控え用紙部の他方の用紙部は、前記封緘片部の二つの短辺部のうち一方の短辺部と前記背部の二つの長辺部のうち一方の長辺部とに切取り線を介して切り離し可能に連設されていることを特徴とする返信用紙付き封筒。
【請求項２】
前記表部の二つの長辺部のうち一方の長辺部に前記申込用紙部が切取り線を介して切り離し可能に連設され、前記背部の二つの長辺部のうち一方の長辺部に前記申込控え用紙部が切取り線を介して切り離し可能に連設されていることを特徴とする請求項１記載の返信用紙付き封筒。
【請求項３】
前記複写層が前記申込用紙部の裏面に形成されていることを特徴とする請求項２記載の返信用紙付き封筒。
【考案の詳細な説明】
【技術分野】
【０００１】
本考案は、通販用カタログなどの雑誌類に綴じ込まれたり、あるいは雑誌類と共にダイレクトメールなどに封入される返信用紙付き封筒に関する。
【背景技術】
【０００２】
従来、カタログなどの雑誌類に綴じ込むことが可能な封筒としては、図１２に示すような隅貼り封筒３３が知られている。この隅貼り封筒３３は背部３１の左端部に隅貼り部３２を有するタイプのものであり、隅貼り部３２の左端部に切取り線３４を介して綴じ込み部３５を連設し、該綴じ込み部３５を雑誌類に綴じ込むようにしたものがある。しかし、図７に示す封筒の場合、商品の申込やアンケートなどを記入する返信用紙は、隅貼り封筒とは別に綴じ込まれているため、隅貼り封筒とは別に切り離さなければならず、不便であるという問題があった。
【０００３】
そこで、返信用紙と雑誌類への綴じ込み部とをそれぞれ切り離し可能に連設して形成された延長片を、返信用封筒本体の表部の右端部に連設され、折り返された背部の右端縁に貼着する貼合部に切り離し可能に連設し、前記返信用紙の下側辺部は返信用封筒本体の下側辺部より上方に位置すると共に、該返信用紙の下側辺部の下方には貼着舌片が切り離し可能に突設され、且つ前記返信用封筒本体の表部の上端には裁ちシロ部を上方に連設した封緘部が折り畳み可能に設けられ、更に返信用封筒本体の表部の下端には粘着材を塗布した貼合面と、該貼合面の下方に粘着材を塗布しない被覆面とを連設して形成された底部被覆片が上方へ折り畳み可能に設けられる一方、前記返信用封筒本体の背部に重合密接した延長片の返信用紙の貼着舌片の下方部が、前記上方へ折り畳まれた底部被覆片の貼合面により返信用封筒本体の背部に一体に貼着固定されると共に、前記返信用紙の下側辺部上に前記被覆面を重合せしめて、前記綴じ込み部を雑誌類に綴じ込むようにした返信用紙付き封筒が考案されている（特許文献１参照）。
【先行技術文献】
【特許文献】
【０００４】
【特許文献１】特開平７−２５１８４６号公報
【考案の概要】
【考案が解決しようとする課題】
【０００５】
このような返信用紙付き封筒によると、雑誌類からの切り離し作業が１回で済むという利点があるが、製本時に返信用封筒本体の位置がずれていると返信用封筒本体の下端部が裁ち落とされてしまい、返信用封筒としての機能が損なわれるおそれがあった。また、特許文献１に記載の封筒は雑誌類に綴じ込む際に、返信用封筒本体の表部の右端部に連設された延長片を返信用封筒本体の表部の左端部側に折り返す必要があるため、手間を要するという問題もあった。
本考案は、上述した点に着目してなされたものであり、機能喪失を招くことなく雑誌類に綴じ込むことが可能な返信用紙付き封筒を提供することを目的とする。また、本考案の他の目的は、返信用紙と返信封筒とを切り離し可能な状態で雑誌類と共にダイレクトメール用封筒に封入することが可能な返信用紙付き封筒を提供することにある。
【課題を解決するための手段】
【０００６】
上記の目的を達成するために、本考案のうち請求項１に係る返信用紙付き封筒は、矩形状に形成された表部と背部の互いに対向する裏面同士を貼り合せて形成された封筒本体と、該封筒本体の表部または背部の一方に切り離し可能に連設された申込用紙部と、該申込用紙部と重合するように前記封筒本体の表部または背部の他方に切り離し可能に連設された申込控え用紙部と、前記申込用紙部及び前記申込控え用紙部の一方に記入したものを他方の用紙部に複写する複写層とからなる返信用紙付き封筒であって、前記封筒本体は前記表部および前記背部の二つの長辺部同士、一つの短辺部同士を貼り合せて形成されているとともに、前記背部の二つの短辺部のうち前記表部と貼合されていない一短辺部に矩形状の封緘片部を有し、前記申込用紙部及び前記申込控え用紙部の一方の用紙部は、前記表部の二つの長辺部のうち一方の長辺部に切取り線を介して切り離し可能に連設され、前記申込用紙部及び前記申込控え用紙部の他方の用紙部は、前記封緘片部の二つの短辺部のうち一方の短辺部と前記背部の二つの長辺部のうち一方の長辺部とに切取り線を介して切り離し可能に連設されていることを特徴とする。
【考案の効果】
【０００７】
本考案によれば、返信用紙と返信封筒とを切り離し可能な状態で雑誌類と共にダイレクトメール用封筒に封入することが可能である。
【図面の簡単な説明】
【０００８】
【図１】本考案の第１の実施形態に係る返信用紙付き封筒の斜視図である。
【図２】図１に示す返信用紙付き封筒の分解斜視図である。
【図３】図１に示す返信用紙付き封筒の作製手順の一例を説明するための図である。
【図４】図１に示す返信用紙付き封筒の作製手順の一例を説明するための図である。
【図５】図１に示す返信用紙付き封筒の作製手順の一例を説明するための図である。
【図６】本考案の第２の実施形態に係る返信用紙付き封筒の分解斜視図である。
【図７】本考案の第３の実施形態に係る返信用紙付き封筒の斜視図である。
【図８】図７に示す返信用紙付き封筒の分解斜視図である。
【図９】本考案の第４の実施形態に係る返信用紙付き封筒の分解斜視図である。
【図１０】本考案の第５の実施形態に係る返信用紙付き封筒の分解斜視図である。
【図１１】本考案の第６の実施形態に係る返信用紙付き封筒の分解斜視図である。
【図１２】従来の返信用紙付き封筒の一例を示す図である。
【考案を実施するための形態】
【０００９】
以下、図１〜図１１を参照して本考案に係る返信用紙付き封筒について説明する。
図１において、符号１０は本考案の一実施形態に係る返信用紙付き封筒であり、この返信用紙付き封筒１０は、封筒本体１１、返信用紙部としての申込用紙部１２および綴じ込み片部１３を備えて構成されている。
上記封筒本体１１は、表部１１ａの裏面に背部１１ｂ（図２参照）を袋状に貼着して定形サイズに形成されている。これらの表部１１ａおよび背部１１ｂは矩形状に形成されており、背部１１ｂの一側辺部には、封筒本体１１の開口縁部を封緘するための封緘片部１１ｃ（図２参照）が一体に形成されている。なお、封緘片部１１ｃの図中上面部には、両面接着テープあるいは水糊などからなるシール部２８が形成されている。また、封筒本体１１は雑誌類に綴じ込まれる二枚の用紙１５（図２参照）から形成され、表部１１ａの表面には、宛先や郵便番号などが所定位置に印刷されている。
【００１０】
上記申込用紙部１２は、図１に示すように、封筒本体１１の二つの長辺部１１ｄ，１１ｅのうち例えば長辺部１１ｄに連設されている。この封筒本体１１の長辺部１１ｅと申込用紙部１２との間には切取り線１６が形成されており、これにより、申込用紙部１２は封筒本体１１から切り離し可能となっている。また、申込用紙部１２は封筒本体１１の表部１１ａに連設されており、封筒本体１１の背部１１ｂには、申込控え用紙部１４（図２参照）が申込用紙部１２と重合するように連設されている。この申込控え用紙部１４と封筒本体１１の背部１１ｂとの境界部には切取り線１７（図２参照）が形成されており、これにより、申込控え用紙部１４は封筒本体１１から切り離し可能となっている。なお、申込用紙部１２の裏面には、申込用紙部１２の表面に記入した商品名などを申込控え用紙部１４に複写するための複写層（図示せず）が形成されている。
【００１１】
上記綴じ込み片部１３は、封筒本体１１の二つの短辺部１１ｆ，１１ｇ（図１参照）のうち例えば短辺部１１ｆに連設されている。この封筒本体１１の短辺部１１ｇと綴じ込み片部１３との境界部には切取り線１８が形成されており、これにより、封筒本体１１は雑誌類に綴じ込まれた綴じ込み片部１３から切り離し可能となっている。また、綴じ込み片部１３は、申込用紙部１２の一側辺部１２ａに連設されている。この申込用紙部１２の一側辺部１２ａと綴じ込み片部１３との境界部には切取り線１８が形成されており、これにより、申込用紙部１２および申込控え用紙部１４は雑誌類に綴じ込まれた綴じ込み片部１３から切り離し可能となっている。さらに、綴じ込み片部１３は申込控え用紙部１４の一側辺部１４ａ（図２参照）に連設されており、この申込控え用紙部１４の一側辺部１４ａと綴じ込み片部１３との境界部には切取り線１９が形成されている。
【００１２】
封筒本体１１は、表部１１ａと背部１１ｂの裏面同士を貼り合せたコ字状の貼合部２０を有している。この貼合部２０は封筒本体１１の四つの側辺部１１ｄ〜１１ｇのうち連続する三つの側辺部１１ｄ，１１ｅ，１１ｆに形成されている。また、封筒本体１１の四つの側辺部１１ｄ〜１１ｇのうち申込用紙部１２及び綴じ込み片部１３が連設されていない二つの側辺部１１ｅ，１１ｇには、裁ち落し幅が２〜３ｍｍ程度の裁ち落し部２１が貼合部２０の外側に形成され、この裁ち落し部２１は返信用紙部１２及び申込控え用紙部１４の側辺部にも形成されている。
【００１３】
図３〜図５は、図１に示した返信用紙付き封筒１０を作製する場合の手順を示す図である。図１に示した返信用紙付き封筒１０を作製する場合は、たとえば、図３に示すように、雑誌類に綴じ込まれる二枚の用紙１５，１５を用意し、これらの用紙１５，１５のうち一方の用紙１５に封筒本体の表部１１ａや商品購入申込欄２２などを印刷すると共に、他方の用紙１５に商品購入控え申込欄２３などを印刷する。次に、図４に示すように、二枚の用紙１５，１５のうち例えば下側に位置する用紙１５の上面部に接着剤を塗布してコ字状の接着剤層２４を所定位置に形成した後、二枚の用紙１５，１５を重ね合せ、接着剤層２４によって二枚の用紙１５，１５を貼り合せる。その後、貼り合わされた二枚の用紙１５，１５に複数本の切取り線２５（図５参照）をそれぞれ所定位置に形成した後、図６中斜線で示される部分２６，２５を上側の用紙から切り取ると、図１に示すような返信用紙付き封筒１０が得られる。
【００１４】
上述した第１の実施形態では、封筒本体１１の表部１１ａ及び背部１１ｂの裏面同士を貼り合せてなる貼合部２０が封筒本体１１の連続する三つの辺部１１ｄ，１１ｅ，１１ｆに形成され、かつ申込用紙部１２と反対側の封筒本体１１の辺部１１ｅに裁ち落し部２１が貼合部２０の外側に位置するように形成されているため、綴じ込み片部１３を雑誌類に綴じ込んで返信封筒付き雑誌類を作製する際に、封筒本体１１の貼合部２０ａが製本時に裁ち落されることがないので、封筒としての機能を失うことなく綴じ込み片部１３を雑誌類に綴じ込むことができる。また、封筒本体１１の二つの長辺部１１ｅ，１１ｆのうち一方の長辺部に申込用紙部１２が切り離し可能に連設されているため、封筒本体１１と申込用紙部１２とを１回の作業で雑誌類から切り離すことができる。さらに、前述した従来のように、返信用封筒本体の表部の右端部に連設された延長片を返信用封筒本体の表部の左端部側に折り返す必要がないので、封筒本体１１と申込用紙部１２とを雑誌類に綴じ込む際に多くの手間を要することなく綴じ込み作業を行うことができる。
【００１５】
また、上述した第１の実施形態では封筒本体１１の封緘片部１１ｃが封筒本体１１の背部１１ｂに形成されているため、封緘片部１１ｃを封筒本体１１の表部１１ａに貼着して封筒本体１１を封緘することができるので、背部１１ｂの表面や背部１１ｂに連設された申込控え用紙部１４の裏面に広告などを印刷することができる。
なお、上述した第１の実施形態では申込用紙（返信用紙部）１２と申込控え用紙部１４の両方を有するものを例示したが、図６に示す第２の実施形態のように、封筒本体１１と申込用紙部（返信用紙部）１２と綴じ込み片部１３とからなる返信用紙付き封筒であってもよい。
【００１６】
第１及び第２の実施形態では申込用紙部１２の一側辺部に連設される封筒本体１１として長形あるいは角形と称されるものを例示したが、図７及び図８に示す第３の実施形態や図９に示す第４の実施形態のように、申込用紙部１２の一側辺部に連設される封筒本体１１として洋形と称されるものを用いてよい。
また、第１〜第４の実施形態では封筒本体１１の表部１１ａと背部１１ｂが別々の用紙からなるものを例示したが、これに限定されるものではなく、封筒本体１１の表部１１ａと背部１１ｂが一枚の用紙から形成されていてもよい。この場合、封筒本体１１の表部１１ａと背部１１ｂは二箇所で貼り合わされることになる。また、綴じ込み片部１３を雑誌類に綴じ込む方法としては、無線綴じ（糊のみで綴じる方法）あるいは平綴じ（背の近辺をホチキスなどで綴じる方法）のいずれでもよい。
【００１７】
上述した第１〜第４の実施形態では封筒本体１１の一側辺部に綴じ込み片部１３を有するものを例示したが、雑誌類に綴じ込む必要がない場合（例えば雑誌類と一緒にダイレクトメール用封筒に封入する場合）には、図１０に示す第５の実施形態のように、表部１１ａの裏面側端縁部と背部１１ｂの裏面側端縁部とを貼り合せてなるコ字状の貼合部２０を有する封筒本体１１と、この封筒本体１１の表部１１ａ（または背部１１ｂ）に切り離し可能に連設された返信用紙部としての申込用紙部１２と、この申込用紙部１２と重合するように封筒本体１１の背部１１ｂ（または表部１１ａ）に切り離し可能に連設された申込控え用紙部１４とからなる返信用紙付き封筒を用いてもよいし、あるいは図１１に示す第６の実施形態のように、表部１１ａの裏面側端縁部と背部１１ｂの裏面側端縁部とを貼り合せてなるコ字状の貼合部２０を有する封筒本体１１と、この封筒本体１１の背部１１ｂ（または表部１１ａ）に切り離し可能に連設された返信用紙部としての申込用紙部１２とからなる返信用紙付き封筒を用いてもよい。
【符号の説明】
【００１８】
１１  封筒本体
１１ａ  表部
１１ｂ  背部
１１ｄ，１１ｅ  長辺部
１１ｆ，１１ｇ  短辺部
１２  申込用紙部（返信用紙部）
１３  綴じ込み片部
１４  申込控え用紙部
２０  貼合部
２１  裁ち落し部
【図１】
0003150168.tif 000003
【図２】
0003150168.tif 000004
【図３】
0003150168.tif 000005
【図４】
0003150168.tif 000006
【図５】
0003150168.tif 000007
【図６】
0003150168.tif 000008
【図７】
0003150168.tif 000009
【図８】
0003150168.tif 000010
【図９】
0003150168.tif 000011
【図１０】
0003150168.tif 000012
【図１１】
0003150168.tif 000013
【図１２】
0003150168.tif 000014